(57)【要約】【課題】本発明は、装置の荷重が直接掛かる支持脚に対して台座の下面に配されるものではなく、しかも、全体の構造が簡単で、かつ、取り付け及び取り外しの工事が不要で床面にネジ穴などの形成による影響を全く与えることがなく、支持脚を安定して固定する装置の固定具を提供することにある。【解決手段】本発明に係る装置の固定具Ａは、底板１０と、底板の上面に取着された上板２０と、底板の底面に貼着された両面粘着性を有する粘着マット３０とからなり、底板１０は、支持脚Ｂの台座１が挿入可能な台座開口部１１を有する台座挿入部１２を有し、上板２０は、支持脚Ｂの垂直軸２が挿入可能な垂直軸開口部２１を有する垂直軸挿入部２２を有し、台座開口部１１と垂直軸開口部２１とを同方向に開口させることにより固定具Ａに支持脚Ｂが挿入可能とし、垂直軸挿入部２２に支持脚Ｂが当接し、底板１０の底面の粘着マット３０が床面に貼着されることにより支持脚Ｂが固定されることを特徴とするものである。【選択図】        図３
2011010691.tif 000002
【特許請求の範囲】
【請求項１】
床面に接する幅広の台座と台座から垂直に起立して装置を支持する垂直軸とからなる支持脚を備えた装置における支持脚を固定することにより装置を固定する固定具であって、
該固定具は、底板と、底板の上面に取着された上板と、底板の底面に貼着された両面粘着性を有する粘着マットとからなり、
底板は、支持脚の台座が挿入可能な台座開口部を有する台座挿入部を有し、
上板は、支持脚の垂直軸が挿入可能な垂直軸開口部を有する垂直軸挿入部を有し、
台座開口部と垂直軸開口部とを同方向に開口させることにより固定具に支持脚が挿入可能とし、垂直軸挿入部に支持脚が当接し、底板の底面の粘着マットが床面に貼着されることにより支持脚が固定されることを特徴とする装置の固定具。
【請求項２】
底板は、台座挿入部がＵ字型又はコの字型をなしていて、台座開口部以外は開口していないことを特徴とする請求項１に記載の装置の固定具。
【請求項３】
底板は、２枚の分離した平板体からなり、２枚の平板体の間隙の開口端が台座開口部となり、２枚の平板体の間隙が台座挿入部となることを特徴とする請求項１に記載の装置の固定具。
【請求項４】
上板は、底板に対して、底板の台座挿入部の縁部と底板の外側縁とのほぼ中間位置にネジ止めされてなることを特徴とする請求１又は２に記載の装置の固定具。
【発明の詳細な説明】
【技術分野】
【０００１】
本発明は、工場や家庭の床に設置される装置を固定するための固定具に関し、特に床面に接する幅広の台座と台座から垂直に起立して装置を支持する垂直軸とからなる支持脚を備えた装置における支持脚を固定することにより装置を固定する固定具に関する。
【背景技術】
【０００２】
従来より、特許文献１及び２に示される装置における支持脚の固定具が知られている。
【０００３】
特許文献１に示されるものは、外部からの振動や衝突などによる衝撃あるいは地震による震動に対して、装置が移動や転倒をしないように構成することを目的として考え出されたもので、ベース板の下面に上下両面が粘着性を有するマットから構成される固定具を使用し、装置の支持脚に対して、支持脚の台座の下面にベース板を配することにより前記目的を達成しようとしたものである。
【０００４】
特許文献２に示されるものは、上記と同様の目的であり、上記と同様の固定具を使用し、装置の支持脚の下端にドーム形状の台座を設け、台座の下面にベース板を固定することにより前記目的を達成しようとしたものである。
【０００５】
しかしながら、前記特許文献１及び２に示される従来の装置の固定具は、装置の荷重が直接掛かる支持脚の台座の下面に配されるものであり、固定具下面の粘着マットにより固定具が床面に貼着されるものであったため、固定具の取り付け及び取り外しの際には装置を持ち上げる必要がある。また、前記支持脚がレベルアジャスタ機能を有するものであるとすると、粘着マットのクッション性によりレベルが不安定となる欠点がある。
【０００６】
そこで、装置を持ち上げることなく支持脚を固定するものとして、特許文献３及び４に示される支持脚の固定具が提案されている。
【０００７】
特許文献３に示されるものは、一対の枠体から構成され、支持脚を挟着するための中空挟着部と各枠体の他端部から延出形成した延出片とから構成され、中空挟着部を支持脚に取り付け、延出片を床にネジ止めすることにより支持脚を固定するように構成したものである。
【０００８】
特許文献４に示されるものは、固定具本体と突っ張り手段とから構成され、固定具本体は下面に粘着マットを備えた平板部と、被固定物の底面に突設された支持脚に係止される係止部を備え、係止部を支持脚に係止したときに平板部は支持脚の下端から離れた位置にあり、突っ張り手段は被固定物の底部と該平板部との間に上下方向に突っ張らせるように構成したものである。
【先行技術文献】
【特許文献】
【０００９】
【特許文献１】特開２００８−１７４９００号公報
【特許文献２】特開２００８−１９４４０６号公報
【特許文献３】特開２００５−１８０１０４号公報
【特許文献４】特開２００８−１８８２７０号公報
【発明の概要】
【発明が解決しようとする課題】
【００１０】
しかしながら、上記特許文献３の固定具は、床面にネジ止め（いわゆるアンカー固定）のための孔を形成するなどの工事が必要となり、また、装置を移転する際には、既設の孔を修復する工事が必要となる欠点がある。
【００１１】
また、上記特許文献３の固定具は、構造が複雑であって、取り付け及び取り外しの際に組立及び分解を必要とするものである。また、特許文献４の固定金具は被固定物に対して突っ張り手段が適用できない場合もあるので完全なものということはできない。
【００１２】
そこで、本発明者は、鋭意研究を重ね、装置の荷重が直接掛かる支持脚に対して台座の下面に配されるものではなく、しかも、全体の構造が簡単で、かつ、取り付け及び取り外しの工事が不要で床面にネジ穴などの形成による影響を全く与えることがなく、支持脚を安定して固定する装置の固定具を開発した。
【課題を解決するための手段】
【００１３】
本発明に係る装置の固定具は、床面に接する幅広の台座と台座から垂直に起立して装置を支持する垂直軸とからなる支持脚を備えた装置における支持脚を固定することにより装置を固定する固定具であって、該固定具は、底板と、底板の上面に取着された上板と、底板の底面に貼着された両面粘着性を有する粘着マットとからなり、底板は、支持脚の台座が挿入可能な台座開口部を有する台座挿入部を有し、上板は、支持脚の垂直軸が挿入可能な垂直軸開口部を有する垂直軸挿入部を有し、台座開口部と垂直軸開口部とを同方向に開口させることにより固定具に支持脚が挿入可能とし、台座挿入部と垂直軸挿入部との少なくともいずれか一方に支持脚が当接し、底板の底面の粘着マットが床面に貼着されることにより支持脚が固定されることを特徴とするものである。
【００１４】
また、上記構成における底板は、台座挿入部がＵ字型又はコの字型をなしていて、台座開口部以外は開口していない構成としてもよい。
【００１５】
さらに、底板は、２枚の分離した平板体からなり、２枚の平板体の間隙の開口端が台座開口部となり、２枚の平板体の間隙が台座挿入部となるように構成してもよい。
【００１６】
さらにまた、上記構成における上板は、底板に対して、底板の台座挿入部の縁部と底板の外側縁とのほぼ中間位置にネジ止めされてなる構成としてもよい。
【００１７】
上記のように構成したことにより、本発明の装置の固定具は、固定具に対して装置の荷重が掛からず、固定具と支持脚が当接すると共に固定具がその下面に貼着した粘着マットにより床面に貼着固定される。装置の垂直方向の動きに対する制止は、支持脚の台座の動きが上板により制止され、上板が底板及び粘着マットを介して床面に固定されていることから達成される。また、通常、装置の支持脚は２本以上備えており、これら支持脚に対して、異なる方向から固定具を装着することにより、装置の水平方向の移動を制止することができる。このような理論から、装置の支持脚が安定して固定されることになる。
【発明の効果】
【００１８】
以上のように、本発明に係る装置の固定具は、従来の固定具の欠点を全て解消し、全体の構造が簡単で、かつ、取り付け及び取り外しが極めて容易であって特別の工具を必要とせず、粉塵や騒音が伴う作業が不要であると共に装置や床面に対する影響が全くないという優れた効果を有するものである。
【図面の簡単な説明】
【００１９】
【図１】本発明の実施例１に係る固定具の斜視図である。
【図２】本発明の実施例１に係る固定具の分解斜視図である。
【図３】本発明の実施例１に係る固定具を支持脚に取り付けた状態を表す斜視図である。
【図４】本発明の実施例１に係る固定具を支持脚に取り付けた状態を表すＩＶ−ＩＶ線縦断面図である。
【図５】本発明の実施例１に係る固定具を装置の支持脚に取り付ける状態を表す概略斜視図である。
【図６】本発明の実施例１に係る固定具を装置の支持脚に取り付けた状態を裏面側から見た概略底面図である。
【図７】本発明の実施例２に係る固定具の斜視図である。
【図８】本発明の実施例２に係る固定具の分解斜視図である。
【図９】本発明の実施例３に係る固定具の斜視図である。
【図１０】本発明の実施例３に係る固定具の分解斜視図である。
【発明を実施するための形態】
【００２０】
以下に本発明の好適な実施例を添付の図面に基づいて詳細に説明する。
【実施例１】
【００２１】
図１〜図６において、Ａは固定具であり、Ｂは装置の支持脚である。支持脚Ｂは装置Ｃの底面に配置されているものであって、床面に接する円盤状の幅広の台座１と台座１から垂直に起立して装置Ｃを支持するネジ軸からなる垂直軸２とから構成される。
【００２２】
固定具Ａは、底板１０と上板２０と粘着マット３０とから構成される。
【００２３】
底板１０は、支持脚Ｂの台座１が挿入可能な台座開口部１１を有する台座挿入部１２を有している。台座開口部１１は台座１が挿入できるように台座１の幅より若干大きい開口幅を有しており、台座挿入部１２は円盤状の台座１が収まるように半円状をなしており、台座開口部１１と台座挿入部１２とで太幅の長いＵ字型の形状をなしている。
【００２４】
上板２０は、ボルト４０を、上板２０に形成したボルト挿通孔４１に通し、底板１０に形成したネジ穴４２に螺合させることにより、底板１０の上面にネジ止めされて取り付けられている。該上板２０は、支持脚Ｂの垂直軸２が挿入可能な垂直軸開口部２１を有する垂直軸挿入部２２を有している。垂直軸開口部２１は垂直軸２が挿入できるように垂直軸２より若干大きい開口幅を有しており、垂直軸挿入部２２はネジ軸よりなる垂直軸２が収まるように半円状をなしており、垂直軸開口部２１と垂直軸挿入部２２とで細幅の長いＵ字型の形状をなしている。
【００２５】
そして、台座開口部１１と垂直軸開口部２１とを同方向に開口させることにより固定具Ａに支持脚Ｂが挿入可能となり、台座挿入部１２と垂直軸挿入部２２との双方に支持脚Ｂが当接するように構成されている。すなわち、台座１は台座開口部１１から進入すると共に垂直軸２は垂直軸開口部２１から進入し、台座１が台座挿入部１２に達して台座１の側面が台座挿入部１２へ挿入された際に垂直軸２が垂直軸挿入部２２の側面に当接するように設計されている。本実施例においては、支持脚Ｂの垂直軸２にナット部材３を螺合させ、上板２０を、その下のナット３の上面に上板２０の底部がより近接するように設計・構成されている。
【００２６】
粘着マット３０は、両面粘着性であって、一方の面の粘着性により底板１０の底面に貼着されており、他方の面の粘着性により底板１０の底面に貼着された粘着マット３０が床面に貼着されることになる。この粘着マット３０としては、出願人が取り扱う商品名「プロセブン耐震マット」がもっとも最適である。商品名「プロセブン耐震マット」は、高い反発弾性により振動吸収性に優れたウレタンエラストマー製であり、粘着マット３０の両面は粘着性を有しており、その粘着性は、引き剥がそうとする力が急激に働いた場合、例えば、装置に衝撃や地震などの震動により力が加わって、装置が揺れ動いたり、跳ね上がろうとした場合における床面から支持脚の台座が離れようとする力には強い粘着力を発揮して引き剥がされないように、すなわち支持脚の台座が床面から離れないように働く。逆に引き剥がそうとする力が緩やかに働いた場合には徐々に引き剥がれる剥離性能を有している。
【００２７】
本実施例１における固定具Ａを上記のように構成したことにより、当該固定具Ａは、装置Ｃの荷重は支持脚Ｂの垂直軸２を通して台座１から床面に掛かるので、固定具Ａに対しては装置Ｃの荷重が掛からない。したがって、当該固定具Ａはその取り付け及び取り外しの際に、装置を持ち上げたり移動させたりする必要がない。また、固定具Ａと支持脚Ｂとは、固定具Ａを支持脚Ｂに装着したときに、台座１の垂直軸２が垂直軸挿入部２２の側面に当接し、かつ、固定具Ａがその下面に貼着した粘着マット３０により床面に接着固定されるので、支持脚Ｂが固定されることになる。すなわち、装置Ｃの垂直方向の動きの制止は、支持脚Ｂの台座１の動きが上板２０により制止されると共に上板２０が底板１０及び粘着マット３０を介して床面に固定されていることから達成される。また、装置Ｃの支持脚Ｂは、図５及び図６に示すように４本以上備えているのが通常であり、これら支持脚Ｂに対して、異なる方向から、例として図５及び図６に示すように台座開口部１１と垂直軸開口部２１とか互いに向かい合うように固定具Ａを装着することにより、装置Ｃの水平方向の移動を制止することができる。
【実施例２】
【００２８】
本実施例における固定具１０Ａは、図７及び図８に示すように、下面に実施例１の固定具Ａにおける粘着マット３０と同様の粘着マット１３０が貼着されている底板１１０が、図７及び図８に示すように、２つに分離しているものである。すなわち、底板１１０は２枚の矩形底板１１０ａ，１１０ｂから構成され、実施例１の固定具Ａにおける上板２０と同様の上板１２０が両矩形底板１１０ａ，１１０ｂを跨ぐようにして、ボルト１４０を上板１２０のボルト挿通孔１４１に挿通させて底板１１０のネジ穴１４２に螺合することにより、上板１２０と底板１１０とがネジ止め固定される。本実施例における固定具１０Ａの底板１１０は、このように構成することにより２枚の矩形底板１１０ａ，１１０ｂの間を装置の支持脚の台座が入り込む入り口を台座開口部１１１とし、上板１２０における垂直軸開口部１２１から支持脚の垂直軸が挿入し、垂直軸挿入部１２２に垂直軸が当接した箇所における台座の位置を台座挿入部１１２とすることができる。
【００２９】
そして、本実施例における上板１２０は、底板１１０に対して、底板１１０の台座挿入部１１２の縁部１１２ａと底板１１０の外側縁１１０ｃとのほぼ中間位置にネジ穴１４２が形成されてネジ止めされていることが重要である。その理由は、底板１１０が２枚の矩形底板１１０ａ，１１０ｂから構成されているために２枚の矩形底板１１０ａ，１１０ｂのいずれか一方に対して、かつ、一箇所に集中して強い引き剥がし力が働くことにより２枚の矩形底板１１０ａ，１１０ｂの粘着力のバランスが崩れないようにしたためである。言い換えると、底板１１０を支持脚が持ち上げる方向に力が働いたときに、これを制止する粘着マット１３０の粘着力が支持脚の持ち上がり力に対して均等に分散されることによりその粘着力を有効に働かせるためである。
【００３０】
なお、本実施例における固定具１０Ａは、実施例１における固定具Ａと上記の構成上の相違があるのみで、その使用方法、作用及び効果は実施例１の固定具Ａと実質的に同一である。
【実施例３】
【００３１】
本実施例における固定具２０Ａは、下面に実施例１の固定具Ａにおける粘着マット３０と同様の粘着マット２３０が貼着されている底板２１０が、支持脚の台座が挿入可能な台座開口部２１１を有する台座挿入部２１２を有し、台座開口部２１１は台座が挿入できるように台座の幅より若干大きい開口幅を有しており、台座挿入部２１２に台座が収まるようにコの字型の形状をなし、台座開口部２１１と台座挿入部２１２とで太幅の長いコの字型の形状をなしている。この底板２１０は、実施例２の底板１１０ように分離しているものではなく、その全体形状がコの字型の一体形状をなすものである。そして、台座開口部２１１及び台座挿入部２１２の側縁から垂直に立ち上がる上板取り付け板２１３ａ，２１３ｂが形成されており、ネジ挿通孔２４１が形成されている。
【００３２】
上板２２０には、前記ネジ挿通孔２４１に対応する位置にネジ穴２４２が形成されており、ボルト２４０を、上板取り付け板２１３ａ，２１３ｂに形成したボルト挿通孔２４１に通し、上板２２０に形成したネジ穴２４２に螺合させることにより、上板２２０は、底板２１０の上板取り付け板２１３ａ，２１３ｂにネジ止めされて取り付けられている。該上板２２０は、支持脚の垂直軸が挿入可能な垂直軸開口部２２１を有する垂直軸挿入部２２２を有している。垂直軸開口部２２１は垂直軸が挿入できるように垂直軸より若干大きい開口幅を有しており、垂直軸挿入部２２２はネジ軸よりなる垂直軸が収まるように半円状をなしており、垂直軸開口部２２１と垂直軸挿入部２２２とで細幅の長いＵ字型の形状をなしている。
【００３３】
本実施例においては、底板２１０が実施例２の底板１１０のように分割されたものでなく、一体のものであることが重要である。この点に関しては実施例１の底板１０も同様に一体のものである。そして、上板２２０が、台座開口部２１１及び台座挿入部２１２の側縁に形成した上板取り付け板２１３ａ，２１３ｂに取り付けられていても、底板２１０が一体であることによって、底板２１０を支持脚が持ち上げる方向に力が働いたときに、これを制止する粘着マット２３０の粘着力が支持脚の持ち上がり力に対して均等に分散され、その粘着力が有効に働く効果がある。
【００３４】
なお、本実施例における固定具２０Ａは、実施例１における固定具Ａと上記の構成上の相違があるのみで、その使用方法、作用及び効果は実施例１の固定具Ａと実質的に同一である。
【符号の説明】
【００３５】
Ａ………固定具
Ｂ………装置の支持脚
Ｃ………装置
１………支持脚の台座
２………支持脚の垂直軸
３………ナット部材
１０……固定具の底板
１１……台座開口部
１２……台座挿入部
２０……固定具の上板
２１……垂直軸開口部
２２……垂直軸挿入部
３０……粘着マット
４０……ボルト
４１……ボルト挿通孔
４２……ネジ穴
１０Ａ……固定具
１１０……固定具の底板
１１０ａ…矩形底板の一方
１１０ｂ…矩形底板の他方
１１０ｃ…底板の外側縁
１１１……台座開口部
１１２……台座挿入部
１１２ａ…台座挿入部の縁部
１２０……固定具の上板
１２１……垂直軸開口部
１２２……垂直軸挿入部
１３０……粘着マット
１４０……ボルト
１４１……ボルト挿通孔
１４２……ネジ穴
２０Ａ……固定具
２１０……固定具の底板
２１１……台座開口部
２１２……台座挿入部
２１３ａ…上板取り付け板
２１３ｂ…上板取り付け板
２２０……固定具の上板
２２１……垂直軸開口部
２２２……垂直軸挿入部
２３０……粘着マット
２４０……ボルト
２４１……ボルト挿通孔
２４２……ネジ穴
【図１】
2011010691.tif 000003
【図２】
2011010691.tif 000004
【図３】
2011010691.tif 000005
【図４】
2011010691.tif 000006
【図５】
2011010691.tif 000007
【図６】
2011010691.tif 000008
【図７】
2011010691.tif 000009
【図８】
2011010691.tif 000010
【図９】
2011010691.tif 000011
【図１０】
2011010691.tif 000012